(57)【特許請求の範囲】
【請求項１】
連帳メディアへの作像が可能な電子写真方式の画像形成装置であって、
当該画像形成装置の内部の前記連帳メディアの搬送経路の一部を構成し、当該画像形成装置の前側に向けて引き出し可能な搬送架台と、
前記搬送架台の上方に設置され、当該画像形成装置の前側に向けて引き出すことで交換可能な、少なくとも１以上のトナーカートリッジが配置されるトナー補給領域と、
当該画像形成装置に設けられ、前記トナー補給領域の前側において、下方に向けて開閉可能なトナー補給扉と、
を備え、
前記連帳メディアのメディア搬送方向は、当該画像形成装置の前後方向に対して直交する横方向であり、
前記搬送架台は、
画像定着部の一部を備えており、
前記前後方向において、第１後側通過ラインおよび第１前側通過ラインの間の領域において規定され、最大前後幅の前記連帳メディアが通過可能なメディア最大前後幅通紙領域を含み、
前記トナー補給扉の前記横方向の幅は、前記搬送架台の前記横方向の幅を含んでおり、
前記搬送架台を前側に最も引き出し、前記トナー補給扉を下方に最も開放させた状態において、前記トナー補給扉上方から下方に向けて投影視した場合、前記第１後側通過ラインの全てが、前記トナー補給扉によって覆われている、画像形成装置。
【請求項２】
連帳メディアへの作像が可能な電子写真方式の画像形成装置であって、
当該画像形成装置の内部の前記連帳メディアの搬送経路の一部を構成し、当該画像形成装置の前側に向けて引き出し可能な搬送架台と、
前記搬送架台の上方に設置され、当該画像形成装置の前側に向けて引き出すことで交換可能な、少なくとも１以上のトナーカートリッジが配置されるトナー補給領域と、
当該画像形成装置に設けられ、前記トナー補給領域の前側において、下方に向けて開閉可能なトナー補給扉と、
を備え、
前記連帳メディアのメディア搬送方向は、当該画像形成装置の前後方向に対して直交する横方向であり、
前記搬送架台は、
前記前後方向において、第１後側通過ラインおよび第１前側通過ラインの間の領域において規定され、最大前後幅の前記連帳メディアが通過可能なメディア最大前後幅通紙領域と、
前記前後方向において、前記メディア最大前後幅通紙領域の内側に位置する第２後側通過ラインおよび第２前側通過ラインの間の領域において規定され、最小前後幅の前記連帳メディアが通過可能なメディア最小前後幅通紙領域と、を含み、
前記トナー補給扉の前記横方向の幅は、前記搬送架台の前記横方向の幅を含んでおり、
前記搬送架台を前側に最も引き出し、前記トナー補給扉を下方に最も開放させた状態において、前記トナー補給扉上方から下方に向けて投影視した場合、少なくとも、前記第１後側通過ラインの全て及び前記第２後側通過ラインの全てが、前記トナー補給扉によって覆われている、画像形成装置。 
【請求項３】
前記搬送架台が画像定着部の一部を備える、請求項２に記載の画像形成装置。
【請求項４】
前記トナー補給扉上方から下方に向けて投影視した場合、前記第１前側通過ラインの全てが、前記トナー補給扉によって覆われている、請求項１から請求項３のいずれか１項に記載の画像形成装置。 
【発明の詳細な説明】
【技術分野】
【０００１】
本発明は、電子写真方式により画像を形成する現像装置および画像形成装置に関する。画像形成装置は、カラー、モノクロを問わず、デジタル複写機、ＦＡＸ、プリンタなどの電子写真装置、記録機器、表示装置などを含む。
【背景技術】
【０００２】
コピー機、プリンタ、ファクシミリ、複合機などの電子写真方式の画像形成装置では感光体上に形成した静電潜像に現像装置からトナーを供給しトナー像を形成する。連帳メディアへの作像可能な電子写真方式の画像形成装置において、搬送経路を含む搬送架台を引き出す構成となることがある。搬送架台には搬送経路だけでなく、作像部のユニット等も搭載されていることもある。
【０００３】
ここで、連帳メディアとは、画像形成装置本体の内部に収容可能な枚葉紙（たとえばＡ３サイズ）よりも用紙長の長いメディアを意味し、たとえば垂れ幕、横断幕用の枚葉紙、ロール紙、連続用紙等を含む。メディアとしては、紙のみでなく、フィルム等、画像形成装置により印刷対象となるすべての紙状の媒体を含む。
【０００４】
搬送架台を引き出すのは、紙詰まり発生時、メンテナンス時、または、経路清掃時などがある。搬送架台を引き出す際には、搬送架台上の連帳メディアの上流および下流を切断する機構を有する構成が、特開２０１５−２３２６４４号公報（特許文献１）に開示されている。
【先行技術文献】
【特許文献】
【０００５】
【特許文献１】特開２０１５−２３２６４４号公報
【発明の概要】
【発明が解決しようとする課題】
【０００６】
経路清掃の際、連帳メディアに糊剤等の粘着層を含むタック紙を用いた場合は、搬送架台の連帳メディアの搬送経路端部に、糊が付着することが多い。この場合には、高頻度で搬送経路端部の清掃が必要になる。搬送架台を引き出した状態では、作業性の観点から搬送経路の一部または全部が上部に露出した状態（使用者が見える状態）とする構成が採用される。
【０００７】
電子写真方式の画像形成装置では、画像印刷を行なうために作像部にトナーを補給するトナー補給部が必要となる。操作容易性およびメンテナンス容易性の観点から、作像部は搬送架台の上側に設けられ、トナー補給部は作像部の近傍に配置される。
【０００８】
トナー補給には、トナーカートリッジ方式を採用する場合が多い。トナーカートリッジ方式とは、トナーが空の状態になったトナーカートリッジを画像形成装置本体から取り出し、トナーが満たされた状態のトナーカートリッジを画像形成装置本体に装填することをいう。
【０００９】
連帳メディアに対応可能な画像形成装置は、通常状態では、連帳メディアが搬送架台を含む機械内部に通された状態である。搬送架台を引き出す際には、上述のように画像形成装置内の連帳メディアの上流側および下流側が切断される。搬送架台を引き出した後は、画像形成装置の動作停止と同時に、さまざまなメンテナンス、清掃等が行なわれることが考えられる。トナーカートリッジの交換も同時に行なうことは十分に想定される。
【００１０】
搬送架台を画像形成装置から引き出した状態で、空のトナーカートリッジを引き抜くと、トナー補給部の近傍で飛散したトナーが、トナー補給部から外れた箇所で搬送架台上に落下する。この場合に、連帳メディアに対応可能な画像形成装置では、以下のような課題が発生する。
【００１１】
搬送架台の上流側および下流側でカットされたメディアの上にトナーがこぼれる。トナーがこぼれたメディアをユーザーが除去する際に、メディアからトナーがこぼれる等し、設置場所を汚してしまう（課題１）。
【００１２】
糊剤等の粘着層を含むタック紙を用いた場合は、連帳メディアの搬送経路端部に付着した糊にこぼれたトナーが付着する。その後、画像形成装置による印刷を再開した場合、連帳メディアの搬送時に長期間にわたり、連帳メディアに色移り等が発生する（課題２）。
【００１３】
連帳メディアの搬送経路端部に付着した糊の除去にウエス等を用いた場合、糊により搬送経路、および、作像ユニットを傷つけ、画像形成装置の画像品質の劣化を招く恐れがある（課題３）。
【００１４】
トナーが付着しない領域にまで、搬送架台を引き出し可能な構成を採用した場合、搬送架台が移動可能なように搬送レールのトラベル量を増加させる構成を採用する必要がある。この構成を採用した場合には、搬送レールの剛性強化、画像形成装置側の剛性強化が必要となり、画像形成装置の製造コスト上昇を招く（課題４）。
【００１５】
本発明の目的は、上記課題に鑑みてなされたものであり、製造コストの上昇を招くことなく、トナーカートリッジの交換時に、引出可能な搬送架台（メディア通紙部）の上へのトナーの落下を抑制することが可能な構成を備える、画像形成装置を提供することを目的とする。
【課題を解決するための手段】
【００１６】
この画像形成装置は、連帳メディアへの作像が可能な電子写真方式の画像形成装置であって、当該画像形成装置の内部の上記連帳メディアの搬送経路の一部を構成し、当該画像形成装置の前側に向けて引き出し可能な搬送架台と、上記搬送架台の上方に設置され、当該画像形成装置の前側に向けて引き出すことで交換可能な、少なくも１以上のトナーカートリッジが配置されるトナー補給領域と、当該画像形成装置に設けられ、上記トナー補給領域の前側において、下方に向けて開閉可能なトナー補給扉と、を備える。
【００１７】
上記連帳メディアのメディア搬送方向は、当該画像形成装置の前後方向に対して直交する横方向であり、上記搬送架台は、上記前後方向において、第１後側通過ラインおよび第１前側通過ラインの間の領域において規定され、最大前後幅の上記連帳メディアが通過可能なメディア最大前後幅通紙領域と、上記前後方向において、上記メディア最大前後幅通紙領域の内側に位置する第２後側通過ラインおよび第２前側通過ラインの間の領域において規定され、最小前後幅の上記連帳メディアが通過可能なメディア最小前後幅通紙領域と、含む。
【００１８】
上記搬送架台を前側に最も引き出し、上記トナー補給扉を下方に最も開放させた状態において、上記トナー補給扉を上方から下方に向けて投影視した場合、少なくとも第１後側通過ラインの一部が、上記トナー補給扉によって覆われている。
【００１９】
他の形態においては、上記トナー補給扉の上記横方向の幅は、上記搬送架台の横方向の幅を含み、上記トナー補給扉を上方から下方に向けて投影視した場合、上記第１後側通過ラインの全てが、上記トナー補給扉によって覆われている。
【００２０】
他の形態においては、上記トナー補給扉を上方から下方に向けて投影視した場合、少なくとも第２後側通過ラインの一部が、上記トナー補給扉によって覆われている。
【００２１】
他の形態においては、上記トナー補給扉を上方から下方に向けて投影視した場合、少なくとも上記第１前側通過ラインの一部が、上記トナー補給扉によって覆われている。
【００２２】
他の形態においては、上記トナー補給扉の上記横方向の幅は、上記搬送架台の横方向の幅を含み、上記トナー補給扉を上方から下方に向けて投影視した場合、上記第１前側通過ラインの全てが、上記トナー補給扉によって覆われている。
【発明の効果】
【００２３】
この画像形成装置によれば、トナー補給領域の開閉に用いられるトナー補給扉を用いて搬送架台を覆うことで、トナーカートリッジからこぼれ出たトナーを受け止め、搬送架台へのトナーの付着を抑制することを可能としている。トナー補給領域の開閉に用いられるトナー補給扉を用いていることから、製造コストの上昇を招くこともない。
【図面の簡単な説明】
【００２４】
【図１】実施の形態における画像形成装置の全体構成を示す模式図である。
【図２】実施の形態における画像形成装置の搬送架台を前に最大引き出した状態を示す側面図である。
【図３】実施例１におけるトナー補給扉を前に開いた状態を示す平面図である。
【図４】実施例２におけるトナー補給扉を前に開いた状態を示す平面図である。
【図５】実施例３におけるトナー補給扉を前に開いた状態を示す平面図である。
【図６】実施例４におけるトナー補給扉を前に開いた状態を示す平面図である。
【図７】実施例５におけるトナー補給扉を前に開いた状態を示す平面図である。
【発明を実施するための形態】
【００２５】
本発明に基づいた実施の形態における画像形成装置について、以下、図を参照しながら説明する。以下に説明する実施の形態において、個数、量などに言及する場合、特に記載がある場合を除き、本発明の範囲は必ずしもその個数、量などに限定されない。同一の部品、相当部品に対しては、同一の参照番号を付し、重複する説明は繰り返さない場合がある。図面においては、実際の寸法の比率に従って図示しておらず、構造の理解を容易にするために、構造が明確となるように比率を変更して図示している箇所がある。
【００２６】
（画像形成装置１）
図１および図２を参照して、本実施の形態における画像形成装置１の概略構成について説明する。図１は、画像形成装置１の全体構成を示す模式図、図２は、画像形成装置１の搬送架台３００を前に最大引き出した状態を示す側面図である。
【００２７】
この画像形成装置１は、給紙装置１Ａ、画像形成装置本体１Ｂ、および、巻取装置１Ｃを備える。給紙装置１Ａは、ロール状に捲回された連帳メディアＰ１を有し、連帳メディアＰ１は、給紙装置１Ａから送り出された後に画像形成装置本体１Ｂ内の搬送経路を通過し、所定の画像が作像された後に、巻取装置１Ｃにおいてロール状に捲き取られる。
【００２８】
画像形成装置本体１Ｂの内部には、画像形成部４０および画像定着部５０が設けられ、搬送経路の一部を構成している。画像形成部４０の画像転写部４０Ｎにおいては、画像形成部４０において作像された画像が、連帳メディアＰ１に転写される。連帳メディアＰ１の上に転写された画像は、画像定着部５０を通過することで定着する。
【００２９】
画像形成装置本体１Ｂの内部には、紙詰まり発生時、メンテナンス時、または、経路清掃などを目的として、画像形成装置本体１Ｂの前側に引き出すことが可能な搬送架台３００が設けられている。画像形成装置本体１Ｂを使用するユーザーの立ち位置から見て、ユーザーから見て手前側を前側、奥側を後側とし、ユーザーから見て右手および左手方向を横方向とする。連帳メディアＰ１のメディア搬送方向ＭＴ１は、当該画像形成装置本体１Ｂの前後方向Ｄに対して直交する横方向Ｗとなる。
【００３０】
搬送架台３００には、画像形成部４０の一部、および、画像定着部５０の一部が設けられている。搬送架台３００の上方には、トナー補給領域２００が設けられている。トナー補給領域２００には、画像形成装置本体１Ｂの前側に向けて引き出すことで交換可能な、４種類のトナーカートリッジ２００Ｙ，２００Ｍ，２００Ｃ，２００Ｋが配置されている。
【００３１】
トナーカートリッジ２００Ｙには、イエローのトナーが充填され、トナーカートリッジ２００Ｍには、マゼンタのトナーが充填され、トナーカートリッジ２００Ｃには、シアンのトナーが充填され、トナーカートリッジ２００Ｋには、ブラックのトナーが充填されている。トナーカートリッジの色の種類、用いられる本数は、適宜選択されるものである。
【００３２】
図２を参照して、画像形成装置本体１Ｂの前側には、４種類の上記トナーカートリッジ２００Ｙ，２００Ｍ，２００Ｃ，２００Ｋの交換を可能とするために、下方に向けて開閉可能なトナー補給扉１１０が設けられている。トナー補給扉１１０は、たとえばその下端部分が、画像形成装置本体１Ｂに対してヒンジ１１０ｈ等を用いて、回動可能に取り付けられている。
【００３３】
トナーが空になった状態のトナーカートリッジ２００Ｙ，２００Ｍ，２００Ｃ，２００Ｋは、トナー補給扉１１０が開放された状態で、前側（図中矢印Ｆ１方向）に引き出され、画像形成装置本体１Ｂのトナー補給領域２００から取り出される。その後、トナーが満たされたトナーカートリッジ２００Ｙ，２００Ｍ，２００Ｃ，２００Ｋが画像形成装置本体１Ｂのトナー補給領域２００に装填される。その後、トナー補給扉１１０が閉じられる。
【００３４】
図２においては、最も前側（図中矢印Ｆ１方向）に引き出された状態を示している。トナー補給扉１１０を下方に最も開放させた状態においては、トナー補給扉１１０の下方に搬送架台３００が位置することとなる。
【００３５】
（実施例）
次に、図３から図７を参照して、トナー補給扉１１０の大きさの異なる実施例１−５について説明する。図３から図７は、実施例１から実施例５におけるトナー補給扉１１０を前に開いた状態を示す平面図である。実施例における構成を適宜組み合わせて用いることは当初から予定されていることである。
【００３６】
各図において、画像形成装置本体１Ｂの前後方向Ｄにおいて、第１後側通過ラインＬ１および第１前側通過ラインＬ２の間の領域において規定され、最大前後幅の連帳メディアＰ１が通過可能な領域をメディア最大前後幅通紙領域Ｒ１とする。
【００３７】
前後方向Ｄにおいて、メディア最大前後幅通紙領域Ｒ１の内側に位置する第２後側通過ラインＬ３および第２前側通過ラインＬ４の間の領域において規定され、最小前後幅の上記連帳メディアＰ１が通過可能な領域をメディア最小前後幅通紙領域Ｒ２とする。
【００３８】
本実施例では、第１後側通過ラインＬ１と第１前側通過ラインＬ２との中心ラインＣ１、および、第２後側通過ラインＬ３と第２前側通過ラインＬ４との中心ラインＣ１とは同一の位置としているが、この構成には限定されない。たとえば、第１後側通過ラインＬ１と第１前側通過ラインＬ２とが重なり合うことで、第１後側通過ラインＬ１と第１前側通過ラインＬ２との中心ラインが、第２後側通過ラインＬ３と第２前側通過ラインＬ４との中心ラインよりも画像形成装置本体１Ｂ側に位置することもあり得る。
【００３９】
（実施例１）
図３を参照して、この実施例においては、トナー補給扉１１０を上方から下方に向けて投影視した場合、少なくとも第１後側通過ラインＬ１の一部が、トナー補給扉１１０によって覆われている。具体的には、トナー補給扉１１０の両側面１１０Ｐは、搬送架台３００の左右の側部のラインＳ１よりも内側に位置し、トナー補給扉１１０の先端面は、第１後側通過ラインＬ１と第２後側通過ラインＬ３との間に位置している。
【００４０】
この構成によれば、トナー補給扉１１０を開放した状態では、少なくとも第１後側通過ラインＬ１の一部が、トナー補給扉１１０によって覆われた状態となる。その結果、図２に示すように、トナーカートリッジ２００Ｙ，２００Ｍ，２００Ｃ，２００Ｋの交換時にトナーカートリッジ等からこぼれ出たトナーＷＴは、トナー補給扉１１０の上に落下する。
【００４１】
トナーカートリッジ２００Ｙ，２００Ｍ，２００Ｃ，２００Ｋの交換時にトナーカートリッジ等からこぼれ出たトナーＷＴは、画像形成装置本体１Ｂに近い側で多くこぼれ出ることが考えられる。その結果、第１後側通過ラインＬ１側における造影剤の搬送架台３００への付着を抑制することが可能となる。
【００４２】
（実施例２）
図４を参照して、この実施例においては、トナー補給扉１１０を上方から下方に向けて投影視した場合、トナー補給扉１１０の横方向の幅Ｗ１１は、搬送架台３００の横方向の幅Ｗ３０を含み、トナー補給扉１１０を上方から下方に向けて投影視した場合、第１後側通過ラインＬ１の全てが、トナー補給扉１１０によって覆われている。
【００４３】
具体的には、トナー補給扉１１０の両側面１１０Ｐは、搬送架台３００の左右の側部のラインＳ１よりも外側に位置し、トナー補給扉１１０の先端面は、第１後側通過ラインＬ１と第２後側通過ラインＬ３との間に位置している。
【００４４】
この構成によれば、トナー補給扉１１０を開放した状態では、第１後側通過ラインＬ１の全てが、トナー補給扉１１０によって覆われた状態となる。その結果、図２に示すように、トナーカートリッジ２００Ｙ，２００Ｍ，２００Ｃ，２００Ｋの交換時にトナーカートリッジ等からこぼれ出たトナーＷＴは、トナー補給扉１１０の上に落下する。
【００４５】
その結果、実施例１の構成に比べ、第１後側通過ラインＬ１側における造影剤の搬送架台３００への付着をより抑制することが可能となる。
【００４６】
（実施例３）
図５を参照して、この実施例においては、トナー補給扉１１０を上方から下方に向けて投影視した場合、少なくとも第２後側通過ラインＬ３の一部が、トナー補給扉１１０によって覆われている。具体的には、トナー補給扉１１０の両側面１１０Ｐは、搬送架台３００の左右の側部のラインＳ１よりも内側に位置し、トナー補給扉１１０は、第１後側通過ラインＬ１および第２後側通過ラインＬ３の一部を覆い、トナー補給扉１１０の先端面は、第２後側通過ラインＬ３と中心ラインＣ１との間に位置している。
【００４７】
この構成によれば、トナー補給扉１１０を開放した状態では、少なくとも第１後側通過ラインＬ１の一部、および、第２後側通過ラインＬ３の一部が、トナー補給扉１１０によって覆われた状態となる。その結果、図２に示すように、トナーカートリッジ２００Ｙ，２００Ｍ，２００Ｃ，２００Ｋの交換時にトナーカートリッジ等からこぼれ出たトナーＷＴは、トナー補給扉１１０の上に落下する。
【００４８】
トナーカートリッジ２００Ｙ，２００Ｍ，２００Ｃ，２００Ｋの交換時にトナーカートリッジ等からこぼれ出たトナーＷＴは、画像形成装置本体１Ｂに近い側で多くこぼれ出ることが考えられる。その結果、第１後側通過ラインＬ１および第２後側通過ラインＬ３側における造影剤の搬送架台３００への付着を抑制することが可能となる。
【００４９】
（実施例４）
図６を参照して、この実施例においては、トナー補給扉１１０を上方から下方に向けて投影視した場合、少なくとも第１前側通過ラインＬ２の一部が、トナー補給扉１１０によって覆われている。具体的には、トナー補給扉１１０の両側面１１０Ｐは、搬送架台３００の左右の側部のラインＳ１よりも内側に位置し、トナー補給扉１１０は、第１後側通過ラインＬ１、第２後側通過ラインＬ３、第２前側通過ラインＬ４、および、第１前側通過ラインＬ２の一部を覆い、トナー補給扉１１０の先端面は、第１前側通過ラインＬ２と搬送架台３００の先端ラインＴ１との間に位置している。
【００５０】
この構成によれば、トナー補給扉１１０を開放した状態では、少なくとも第１後側通過ラインＬ１の一部、第２後側通過ラインＬ３の一部、第２前側通過ラインＬ４の一部、および、第１前側通過ラインＬ２の一部が、トナー補給扉１１０によって覆われた状態となる。その結果、図２に示すように、トナーカートリッジ２００Ｙ，２００Ｍ，２００Ｃ，２００Ｋの交換時にトナーカートリッジ等からこぼれ出たトナーＷＴは、トナー補給扉１１０の上に落下する。
【００５１】
その結果、実施例３の構成に比べ、第２前側通過ラインＬ４の一部、および、第１前側通過ラインＬ２側における造影剤の搬送架台３００への付着をより抑制することが可能となる。
【００５２】
（実施例５）
図７を参照して、この実施例においては、トナー補給扉１１０を上方から下方に向けて投影視した場合、トナー補給扉１１０の横方向の幅Ｗ１１は、搬送架台３００の横方向の幅Ｗ３０を含み、トナー補給扉１１０を上方から下方に向けて投影視した場合、第１前側通過ラインＬ２の全てが、トナー補給扉１１０によって覆われている。
【００５３】
具体的には、トナー補給扉１１０の両側面１１０Ｐは、搬送架台３００の左右の側部のラインＳ１よりも外側に位置し、トナー補給扉１１０は、第１後側通過ラインＬ１、第２後側通過ラインＬ３、第２前側通過ラインＬ４、および、第１前側通過ラインＬ２の全てを覆い、トナー補給扉１１０の先端面は、第１前側通過ラインＬ２と搬送架台３００の先端ラインＴ１との間に位置している。
【００５４】
この構成によれば、トナー補給扉１１０を開放した状態では、搬送架台３００のメディア最大前後幅通紙領域Ｒ１およびメディア最小前後幅通紙領域Ｒ２の全ての領域がトナー補給扉１１０によって覆われた状態となる。その結果、図２に示すように、トナーカートリッジ２００Ｙ，２００Ｍ，２００Ｃ，２００Ｋの交換時にトナーカートリッジ等からこぼれ出たトナーＷＴは、トナー補給扉１１０の上に落下する。
【００５５】
その結果、実施例４の構成に比べ、造影剤の搬送架台３００への付着をより抑制することが可能となる。
【００５６】
さらに、トナーにキャリア（有機溶剤）を含むような画像形成装置もある。こぼれたトナーが、たとえば、第１後側通過ラインＬ１の上にこぼれて、メディアの有する糊にトナー、キャリアが付着する。清掃を行う際は、ウエス等にアルコール等をしみこませてふき取る、キャリアにより傷が付き易くなる。さらに、搬送架台に転写部等の画像形成部が含まれる場合は、より顕著にその影響が現れ、次に印刷するメディアへの影響のみならず、画像不良となり部品交換が必要な場合もある。
【００５７】
しかしながら、本実施の形態における画像形成装置においては、トナーにキャリア（有機溶剤）を含むような場合であっても、最もこぼれ落ちやすい第１後側通過ラインＬ１の一部は、トナー補給扉１１０によって覆われた状態となるため、メディアへの影響、および、画像不良の発生を回避することも可能としている。
【００５８】
以上、本実施の形態および各実施例における画像形成装置によれば、トナー補給領域２００の開閉に用いられるトナー補給扉１１０を用いて搬送架台３００を覆うことで、トナーカートリッジからこぼれ出たトナーを受け止め、搬送架台３００へのトナーの付着を抑制することを可能としている。トナー補給領域２００の開閉に用いられるトナー補給扉１１０を用いていることから、製造コストの上昇を招くこともない。
【００５９】
今回開示された実施の形態および各実施例はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００６０】
１  画像形成装置、１Ａ  給紙装置、１Ｂ  画像形成装置本体、１Ｃ  巻取装置、４０  画像形成部、４０Ｎ  画像転写部、５０  画像定着部、１１０  トナー補給扉、１１０Ｐ  側面、２００  トナー補給領域、２００Ｃ，２００Ｋ，２００Ｍ，２００Ｙ  トナーカートリッジ、３００  搬送架台、Ｃ１  中心ライン、Ｌ１  第１後側通過ライン、Ｌ２  第１前側通過ライン、Ｌ３  第２後側通過ライン、Ｌ４  第２前側通過ライン、ＭＴ１  メディア搬送方向、Ｐ１  連帳メディア、Ｒ１  メディア最大前後幅通紙領域、Ｒ２  メディア最小前後幅通紙領域。
【図１】
0006668829.tif 000002
【図２】
0006668829.tif 000003
【図３】
0006668829.tif 000004
【図４】
0006668829.tif 000005
【図５】
0006668829.tif 000006
【図６】
0006668829.tif 000007
【図７】
0006668829.tif 000008